(57)【要約】【課題】吊り金具からの支持ボルトの離脱を阻止でき、空調ユニットの落下を防ぐことができる安全性の高い天吊り形空調ユニットの吊り金具を提供することを目的とする。【解決手段】天吊り形空調ユニットの吊り金具１１であって、該吊り金具１１は、断面がＬ字形で、天井面と対向する上面１３に、前後一対の吊りボルトが挿入固定されるボルト挿入溝１４が設けられるとともに、空調ユニットの側面に前後一対の支持ボルトによって締め付け固定される垂直面１６に、該支持ボルトが挿入可能な前後一対の水平方向の引っ掛け溝１７，１８が設けられた構成とされ、その引っ掛け溝１７，１８の少なくとも前方側もしくは後方側の引っ掛け溝１８に、支持ボルトの該引っ掛け溝１８への挿入を許容し、該支持ボルトがいったん所定位置まで挿入されると、その離脱を阻止する位置に作動するロック部材２０が設けられている。【選択図】図３
2014142082.tif 000002
【特許請求の範囲】
【請求項１】
天井に複数本の吊りボルトで吊下げ設置される空調ユニットの両側面に、支持ボルトを介して締め付け固定される天吊り形空調ユニットの吊り金具であって、
前記吊り金具は、断面がＬ字形で、天井面と対向する上面に、前後一対の前記吊りボルトが挿入固定されるボルト挿入溝が設けられるとともに、前記空調ユニットの側面に前後一対の前記支持ボルトによって締め付け固定される垂直面に、該支持ボルトが挿入可能な前後一対の水平方向の引っ掛け溝が設けられた構成とされ、
前記引っ掛け溝の少なくとも前方側もしくは後方側の引っ掛け溝に、前記支持ボルトの該引っ掛け溝への挿入を許容し、該支持ボルトがいったん所定位置まで挿入されると、その離脱を阻止する位置に作動するロック部材が設けられていることを特徴とする天吊り形空調ユニットの吊り金具。
【請求項２】
前記ロック部材は、前記垂直面に軸を介して回動自在に軸支され、前記支持ボルトの前記引っ掛け溝への挿入時、前記支持ボルトと接して一方向に回動されることにより、前記支持ボルトの前記引っ掛け溝への挿入を許容し、前記支持ボルトが所定位置まで挿入されると、前記と逆方向に回動され、ストッパーで定位置に位置決めされることにより、前記支持ボルトの前記引っ掛け溝からの離脱を阻止する構成とされていることを特徴とする請求項１に記載の天吊り形空調ユニットの吊り金具。
【請求項３】
前記ロック部材は、前記垂直面に軸を介して回動自在に軸支され、前記支持ボルトの前記引っ掛け溝への挿入時、前記支持ボルトと接して一方向に回動されることにより、前記支持ボルトの前記引っ掛け溝への挿入を許容し、前記支持ボルトが所定位置まで挿入されると、前記と逆方向に回動され、前記支持ボルトが前記引っ掛け溝から離脱方向に移動しようとすると、該引っ掛け溝の下縁との間で前記支持ボルトを挟み込むことにより、前記ロック部材の前記逆方向への回動を阻止し、前記支持ボルトの前記引っ掛け溝からの離脱を阻止する突部を備えていることを特徴とする請求項１に記載の天吊り形空調ユニットの吊り金具。
【請求項４】
前記ロック部材は、前記垂直面に上下複数本のピンを介して上下方向に昇降自在に支持され、前記支持ボルトの前記引っ掛け溝への挿入時、前記支持ボルトと接して上昇されることにより、前記支持ボルトの前記引っ掛け溝への挿入を許容し、前記支持ボルトが所定位置まで挿入されると、所定位置に降下し、前記支持ボルトの前記引っ掛け溝からの離脱を阻止する構成とされていることを特徴とする請求項１に記載の天吊り形空調ユニットの吊り金具。
【請求項５】
前記ロック部材は、前記垂直面に軸を介して回動自在に軸支され、前記支持ボルトの前記引っ掛け溝への挿入時、前記支持ボルトと接して一方向に回動されることにより、前記支持ボルトの前記引っ掛け溝への挿入を許容し、前記支持ボルトが所定位置まで挿入されると、前記と逆方向に回動されて前記支持ボルトに係止し、前記支持ボルトの前記引っ掛け溝からの離脱を阻止するフック部を備えていることを特徴とする請求項１に記載の天吊り形空調ユニットの吊り金具。
【請求項６】
前記ロック部材は、自重によって、前記支持ボルトの前記引っ掛け溝への挿入を許容する位置から、その離脱を阻止する位置に移動可能とされていることを特徴とする請求項１ないし５のいずれかに記載の天吊り形空調ユニットの吊り金具。
【請求項７】
前記ロック部材は、バネ力によって、前記支持ボルトの前記引っ掛け溝への挿入を許容する位置から、その離脱を阻止する位置に移動可能に付勢されていることを特徴とする請求項１ないし５のいずれかに記載の天吊り形空調ユニットの吊り金具。
【発明の詳細な説明】
【技術分野】
【０００１】
本発明は、天吊り形空調ユニットの両側面に設置され、空調ユニットを吊りボルトを介して天井から吊下げ設置するための吊り金具に関するものである。
【背景技術】
【０００２】
天吊り形の空調ユニットは、室内の天井面に吊りボルトを介して吊下げ設置されるものである。このため、例えば、特許文献１に示されるように、空調ユニットの左右両側面に吊り金具を取り付け、この吊り金具に設けられている引っ掛け溝に天井側から垂下されている吊りボルトを通してナットで締め付け固定することにより、空調ユニットを天井面に吊りボルトを介して懸架し、据え付け設置する構成とされている。
【０００３】
かかる天吊り形空調ユニットの据え付け作業を簡便化するため、一般に特許文献２に示されるように、吊り金具に空調ユニットの両側面に設けられている前後一対の支持ボルトを挿入する水平方向の引っ掛け溝を設け、この左右一対の吊り金具を予め吊りボルトに取り付けて置き、その引っ掛け溝に対して、空調ユニットを天井面近くまで持ち上げ、両側面の支持ボルトを引っ掛けて支持し、該支持ボルトを引っ掛け溝の奥まで水平にスライドさせた後、締め付け固定することにより、据え付け設置する方法を採っていた。
【先行技術文献】
【特許文献】
【０００４】
【特許文献１】国際公開第９７／３２１６５号
【特許文献２】実開昭５８−４６０２０号公報
【発明の概要】
【発明が解決しようとする課題】
【０００５】
しかしながら、天吊り形の空調ユニットにおいて、上記のような据え付け方法を採った場合、吊り金具の引っ掛け溝に空調ユニット側の支持ボルトを引っ掛けて支持し、その支持ボルトを締め付け固定する前の作業中に、空調ユニットが何らかの理由で水平方向に動いたとき、支持ボルトが引っ掛け溝から離脱し、空調ユニットが落下する虞があった。
そこで、水平方向の引っ掛け溝から支持ボルトが離脱し難くするため、溝の引っ掛かり代を長くしたり、あるいは引っ掛け溝を奥側に向って斜め下向きに設けたり、逆Ｕ字形の溝にしたりする等の対応策が考えられる。
【０００６】
然るに、溝の引っ掛かり代を長くするには、前後移動量の増大で他部品と干渉する事態が生じることから制約があり、また、後者の対応策では、引っ掛け溝の入口側位置と支持ボルトを締め付け固定する最奥位置との間の上下寸法差を大きくすれば、支持ボルトが離脱し難くなるが、この場合、据え付け後に空調ユニットと天井面との間に上下寸法差分に相当する隙間が生じ、見栄えが低下するという課題があり、これを避けるため、上下寸法差を小さくすると、離脱防止効果が低下するという課題があって、必ずしも好ましい対応策とはなり得なかった。
【０００７】
本発明は、このような事情に鑑みてなされたものであって、最少の部品追加で確実に吊り金具からの支持ボルトの離脱を阻止でき、空調ユニットの落下を防ぐことができる安全性の高い天吊り形空調ユニットの吊り金具を提供することを目的とする。
【課題を解決するための手段】
【０００８】
上記した課題を解決するために、本発明の天吊り形空調ユニットの吊り金具は、以下の手段を採用する。
すなわち、本発明にかかる天吊り形空調ユニットの吊り金具は、天井に複数本の吊りボルトで吊下げ設置される空調ユニットの両側面に、支持ボルトを介して締め付け固定される天吊り形空調ユニットの吊り金具であって、前記吊り金具は、断面がＬ字形で、天井面と対向する上面に、前後一対の前記吊りボルトが挿入固定されるボルト挿入溝が設けられるとともに、前記空調ユニットの側面に前後一対の前記支持ボルトによって締め付け固定される垂直面に、該支持ボルトが挿入可能な前後一対の水平方向の引っ掛け溝が設けられた構成とされ、前記引っ掛け溝の少なくとも前方側もしくは後方側の引っ掛け溝に、前記支持ボルトの該引っ掛け溝への挿入を許容し、該支持ボルトがいったん所定位置まで挿入されると、その離脱を阻止する位置に作動するロック部材が設けられていることを特徴とする。
【０００９】
本発明によれば、支持ボルトが挿入可能な前後一対の水平方向の引っ掛け溝が設けられている吊り金具の少なくとも前方側もしくは後方側の引っ掛け溝に、支持ボルトの引っ掛け溝への挿入を許容し、支持ボルトがいったん所定位置まで挿入されると、その離脱を阻止する位置に作動するロック部材が設けられているため、左右両側の吊り金具を吊りボルト側に取り付けた状態で、空調ユニットを天井付近まで持ち上げ、その両側面に設けられている前後一対の支持ボルトを、吊り金具に設けられている前後一対の水平方向の引っ掛け溝に引っ掛けて支持し、該支持ボルトを引っ掛け溝の開口端から所定位置（最奥位置）に挿入することによって、ロック部材は支持ボルトの引っ掛け溝への挿入を許容し、支持ボルトがいったん所定位置（最奥位置）まで挿入されることにより、支持ボルトの引っ掛け溝からの離脱を阻止する位置へと作動される。この状態で支持ボルトを締め付けることにより、吊り金具を空調ユニットの両側面に固定し、この吊り金具を介して吊りボルトにより空調ユニットを天井面に吊下げ設置することができる。従って、空調ユニット側面の支持ボルトを吊り金具の引っ掛け溝に引っ掛けた状態で据え付け作業をしている最中に、支持ボルトが引っ掛け溝から離脱して空調ユニットが落下する虞を確実に解消し、作業の安全性を確保することができる。
【００１０】
さらに、本発明の天吊り形空調ユニットの吊り金具は、上記の天吊り形空調ユニットの吊り金具において、前記ロック部材は、前記垂直面に軸を介して回動自在に軸支され、前記支持ボルトの前記引っ掛け溝への挿入時、前記支持ボルトと接して一方向に回動されることにより、前記支持ボルトの前記引っ掛け溝への挿入を許容し、前記支持ボルトが所定位置まで挿入されると、前記と逆方向に回動され、ストッパーで定位置に位置決めされることにより、前記支持ボルトの前記引っ掛け溝からの離脱を阻止する構成とされていることを特徴とする。
【００１１】
本発明によれば、ロック部材が、垂直面に回動自在に軸支され、支持ボルトと接して一方向に回動されることにより、支持ボルトの引っ掛け溝への挿入を許容し、支持ボルトが所定位置まで挿入されると、逆方向に回動され、ストッパーで定位置に位置決めされることにより、支持ボルトの引っ掛け溝からの離脱を阻止する構成とされているため、引っ掛け溝にロック部材を設けたとしても、従来の据え付け作業と同様に支持ボルトを引っ掛け溝に挿入するだけで、ロック部材を支持ボルトの引っ掛け溝への挿入を許容する位置および引っ掛け溝からの離脱を阻止する位置に動かすことができる。従って、動力源無しでロック部材を確実に機能させることができ、据え付け方法を変更することなく、その作業の安全性を高めることができる。
【００１２】
さらに、本発明の天吊り形空調ユニットの吊り金具は、上記の天吊り形空調ユニットの吊り金具において、前記ロック部材は、前記垂直面に軸を介して回動自在に軸支され、前記支持ボルトの前記引っ掛け溝への挿入時、前記支持ボルトと接して一方向に回動されることにより、前記支持ボルトの前記引っ掛け溝への挿入を許容し、前記支持ボルトが所定位置まで挿入されると、前記と逆方向に回動され、前記支持ボルトが前記引っ掛け溝から離脱方向に移動しようとすると、該引っ掛け溝の下縁との間で前記支持ボルトを挟み込むことにより、前記ロック部材の前記逆方向への回動を阻止し、前記支持ボルトの前記引っ掛け溝からの離脱を阻止する突部を備えていることを特徴とする。
【００１３】
本発明によれば、ロック部材が、垂直面に回動自在に軸支され、支持ボルトと接して一方向に回動されることにより、支持ボルトの引っ掛け溝への挿入を許容し、支持ボルトが所定位置まで挿入されると、逆方向に回動され、支持ボルトが引っ掛け溝から離脱方向に移動しようとすると、該引っ掛け溝の下縁との間で支持ボルトを挟み込むことにより、ロック部材の逆方向への回動を阻止し、支持ボルトの引っ掛け溝からの離脱を阻止する突部を備えているため、引っ掛け溝にロック部材を設けたとしても、従来の据え付け作業と同様に支持ボルトを引っ掛け溝に挿入するだけで、ロック部材を支持ボルトの引っ掛け溝への挿入を許容する位置および引っ掛け溝からの離脱を阻止する位置に移動させることができる。従って、動力源無しでロック部材を確実に機能させることができ、据え付け方法を変更することなく、その作業の安全性を高めることができる。
【００１４】
さらに、本発明の天吊り形空調ユニットの吊り金具は、上記の天吊り形空調ユニットの吊り金具において、前記ロック部材は、前記垂直面に上下複数本のピンを介して上下方向に昇降自在に支持され、前記支持ボルトの前記引っ掛け溝への挿入時、前記支持ボルトと接して上昇されることにより、前記支持ボルトの前記引っ掛け溝への挿入を許容し、前記支持ボルトが所定位置まで挿入されると、所定位置に降下し、前記支持ボルトの前記引っ掛け溝からの離脱を阻止する構成とされていることを特徴とする。
【００１５】
本発明によれば、ロック部材が、垂直面に上下方向に昇降自在に支持され、支持ボルトと接して上昇されることにより、支持ボルトの引っ掛け溝への挿入を許容し、支持ボルトが所定位置まで挿入されると、所定位置に降下し、支持ボルトの引っ掛け溝からの離脱を阻止する構成とされているため、引っ掛け溝にロック部材を設けたとしても、従来の据え付け作業と同様に支持ボルトを引っ掛け溝に挿入するだけで、ロック部材を支持ボルトの引っ掛け溝への挿入を許容する位置および引っ掛け溝からの離脱を阻止する位置に動かすことができる。従って、動力源無しでロック部材を確実に機能させることができ、据え付け方法を変更することなく、その作業の安全性を高めることができる。
【００１６】
さらに、本発明の天吊り形空調ユニットの吊り金具は、上記の天吊り形空調ユニットの吊り金具において、前記ロック部材は、前記垂直面に軸を介して回動自在に軸支され、前記支持ボルトの前記引っ掛け溝への挿入時、前記支持ボルトと接して一方向に回動されることにより、前記支持ボルトの前記引っ掛け溝への挿入を許容し、前記支持ボルトが所定位置まで挿入されると、前記と逆方向に回動されて前記支持ボルトに係止し、前記支持ボルトの前記引っ掛け溝からの離脱を阻止するフック部を備えていることを特徴とする。
【００１７】
本発明によれば、ロック部材が、垂直面に回動自在に軸支され、支持ボルトと接して一方向に回動されることにより、支持ボルトの引っ掛け溝への挿入を許容し、支持ボルトが所定位置まで挿入されると、逆方向に回動されて支持ボルトに係止し、支持ボルトの引っ掛け溝からの離脱を阻止するフック部を備えているため、引っ掛け溝にロック部材を設けたとしても、従来の据え付け作業と同様に支持ボルトを引っ掛け溝に挿入するだけで、ロック部材を支持ボルトの引っ掛け溝への挿入を許容する位置および支持ボルトに係止して引っ掛け溝からの離脱を阻止する位置に動かすことができる。従って、動力源無しでロック部材を確実に機能させることができ、据え付け方法を変更することなく、その作業の安全性を高めることができる。
【００１８】
さらに、本発明の天吊り形空調ユニットの吊り金具は、上述のいずれかの天吊り形空調ユニットの吊り金具において、前記ロック部材は、自重によって、前記支持ボルトの前記引っ掛け溝への挿入を許容する位置から、その離脱を阻止する位置に移動可能とされていることを特徴とする。
【００１９】
本発明によれば、ロック部材が、自重によって、支持ボルトの引っ掛け溝への挿入を許容する位置から、その離脱を阻止する位置に移動可能とされているため、ロック部材を垂直面に回動自在または摺動自在に設置するだけでよく、そのロック部材を支持ボルトの引っ掛け溝への挿入を許容する位置から離脱を阻止する位置へと自重で移動させることができる。従って、最少の部品で支持ボルトの離脱を阻止可能なロック機構を構成でき、簡素で低コストで、かつ安全性の高いロック機構を備えた吊り金具を提供することができる。
【００２０】
さらに、本発明の天吊り形空調ユニットの吊り金具は、上述のいずれかの天吊り形空調ユニットの吊り金具において、前記ロック部材は、バネ力によって、前記支持ボルトの前記引っ掛け溝への挿入を許容する位置から、その離脱を阻止する位置に移動可能に付勢されていることを特徴とする。
【００２１】
本発明によれば、ロック部材が、バネ力によって、支持ボルトの引っ掛け溝への挿入を許容する位置から、その離脱を阻止する位置に移動可能に付勢されているため、ロック部材を支持ボルトの引っ掛け溝への挿入を許容する位置から離脱を阻止する位置へとバネ力により強制的に移動させることができる。従って、ロック部材の支持ボルトの挿入を許容する位置から離脱を阻止する位置への移動と、その切換えを速やかに、かつ確実に行わせることができ、より信頼性の高いロック機構を備えた吊り金具を提供することができる。
【発明の効果】
【００２２】
本発明によると、左右両側の吊り金具を吊りボルト側に取り付けた状態で、空調ユニットを天井付近まで持ち上げ、その両側面に設けられている前後一対の支持ボルトを、吊り金具に設けられている前後一対の水平方向の引っ掛け溝に引っ掛けて支持し、該支持ボルトを引っ掛け溝の開口端から所定位置（最奥位置）へと挿入することによって、ロック部材は支持ボルトの引っ掛け溝への挿入を許容し、支持ボルトがいったん所定の位置（最奥位置）まで挿入されると、支持ボルトの引っ掛け溝からの離脱を阻止する位置へと作動される。この状態で支持ボルトを締め付けることにより、吊り金具を空調ユニットの両側面に固定し、この吊り金具を介して吊りボルトにより空調ユニットを天井面に吊下げ設置することができるため、空調ユニット側面の支持ボルトを吊り金具の引っ掛け溝に引っ掛けた状態で据え付け作業をしている最中に、支持ボルトが引っ掛け溝から離脱して空調ユニットが落下する虞を確実に解消し、作業の安全性を確保することができる。
【図面の簡単な説明】
【００２３】
【図１】本発明の実施形態に係る吊り金具を適用した天吊り形空調ユニットの外観斜視図である。
【図２】図１に示す天吊り形空調ユニットの側面カバーを取り外した状態の側面図である。
【図３】本発明の第１実施形態に係る天吊り形空調ユニットの吊り金具の斜視図である。
【図４】図４に示す吊り金具のロック部材の作動状態説明図（Ａ），（Ｂ），（Ｃ）である。
【図５】本発明の第２実施形態に係る天吊り形空調ユニットの吊り金具の斜視図である。
【図６】図５に示す吊り金具のロック部材の作動状態説明図（Ａ），（Ｂ），（Ｃ）である。
【図７】本発明の第３実施形態に係る天吊り形空調ユニットの吊り金具の斜視図である。
【図８】図７に示す吊り金具のロック部材の作動状態説明図（Ａ），（Ｂ），（Ｃ）である。
【図９】本発明の第４実施形態に係る天吊り形空調ユニットの吊り金具の斜視図である。
【図１０】図９に示す吊り金具のロック部材の作動状態説明図（Ａ），（Ｂ），（Ｃ）である。
【図１１】本発明の第５実施形態に係る天吊り形空調ユニットの吊り金具の一部側面である。
【発明を実施するための形態】
【００２４】
以下に、本発明にかかる実施形態について、図面を参照して説明する。
［第１実施形態］
以下、本発明の第１実施形態について、図１ないし図４を用いて説明する。
図１には、本発明の実施形態に係る吊り金具を適用した天吊り形空調ユニットの外観斜視図が示され、図２には、その側面カバーを取り外した状態の側面図、図３には、その第１実施形態に係る吊り金具の斜視図、図４には、その吊り金具のロック部材の作動状態説明図（Ａ），（Ｂ），（Ｃ）が示されている。
天吊り形空調ユニット（空調ユニット）１は、横長の直方形状とされたユニット本体２内に、室内ファン３および図示省略された室内熱交換器、ドレンパン、フィルタ等が内蔵されたもので、室内の天井面に複数本の吊りボルト４を介して吊下げ設置され、使用されるものである。
【００２５】
この天吊り形空調ユニット１は、ユニット本体２の下面に設けられている吸込み口５から吸い込みグリル６、フィルタを介して室内の空気を吸い込み、室内熱交換器を通して温調した後、ユニット本体２の前面に設けられている吹出し口７からルーバ８およびフラップ９により風向を調整して室内に吹出し、室内の空調を行う構成とされている。
【００２６】
天吊り形空調ユニット１を天井面に吊下げ設置するため、ユニット本体２の左右両側面には、それぞれ吊り金具１１が前後一対の支持ボルト１２を介して固定設置されるようになっている。この吊り金具１１は、ユニット本体２に対して着脱自在に装着される側面カバー１０によって覆われるようになっている。図２には、この側面カバー１０を取り外した状態が示されている。
【００２７】
図３及び図４に、吊り金具１１の詳細構成が示されている。
吊り金具１１は、断面がＬ字形状に曲げられて板金製の金具であり、その上面１３の前後２箇所に、所定の間隔を隔てて吊りボルト４を通すＴ字形のボルト挿入溝１４が設けられており、このボルト挿入溝１４に吊りボルト４を通した後、吊り金具１１がナット１５で吊りボルト４に締め付け固定されるようになっている。一方、ユニット本体２の側面に支持ボルト１２を介して締め付け固定される垂直面１６には、所定の間隔を隔てて支持ボルト１２を挿入する前後一対の水平方向の引っ掛け溝１７，１８が設けられている。
【００２８】
この一対の引っ掛け溝１７，１８の前方側の引っ掛け溝１７は、奥側に向って数度下向きに傾斜されているとともに、入口部分に１〜２ｍｍ程度の段部１９が設けられた構成とされている。また、後方側の引っ掛け溝１８は、前方側の引っ掛け溝１７と同様、奥側に向って数度下向きに傾斜されているとともに、入口部の近くにロック部材２０が設けられた構成とされている。
【００２９】
このロック部材２０は、略台形状をなす板金製の板部材とされ、短辺側の中央部が、引っ掛け溝１８の入口近くの上縁付近に軸２１を介して回転自在に軸支されるとともに、長辺側の前方部位に引っ掛け溝１８の下縁に接して下方への回動位置を決めるストッパー２２が設けられた構成とされており、引っ掛け溝１８に挿入された支持ボルト１２が、いったん所定の位置（最奥位置）まで挿入されると、引っ掛け溝１８から離脱されないようにロックするためのものである。
【００３０】
つまり、ロック部材２０は、通常、自重（重力）によりストッパー２２が引っ掛け溝１８の下縁に当接する位置に回動されており、支持ボルト１２が引っ掛け溝１８内に挿入されて行く過程で、その前方縁が支持ボルト１２に接し、ロック部材２０が自重に抗して上方に回動（図示左回転）されることにより、支持ボルト１２の挿入を許容（図４（Ａ）→（Ｂ）参照）する。そして、支持ボルト１２が引っ掛け溝１８の所定位置（最奥位置）まで挿入されると、支持ボルト１２から離れて自重により逆方向に回動（右回転）し、ストッパー２２が引っ掛け溝１８の下縁に接する位置まで戻ることにより、図４（Ｃ）に示されるように、支持ボルト１２の引っ掛け溝１８からの離脱を阻止する構成とされている。
【００３１】
なお、上記した実施形態では、少なくとも後方側の引っ掛け溝１８の入口部の近くにロック部材２０を設けた場合について説明したが、後方側の引っ掛け溝１８に代えて、前方側の引っ掛け溝１７に対し、ロック部材２０を設けた構成としてもよく、この場合、後方側の引っ掛け溝１８のロック部材２０は省略することができる。
【００３２】
以上に説明の構成により、本実施形態によれば、以下の作用効果を奏する。
天吊り形空調ユニット１の据え付け作業は、吊り金具１１をユニット本体２側から取り外し、天井側に設けられた吊りボルト４側に取り付けることにより、従来と同様の手順で行われる。まず、空調ユニット１を天井近くまで持ち上げた（ここでは、持ち上げ手段は問わない）状態で、ユニット本体２側に設けられている支持ボルト１２を、吊りボルト４に取り付けられている吊り金具１１の一対の水平方向の引っ掛け溝１７，１８内に、ユニット本体２を前後方向に移動させて挿入する。
【００３３】
この際、前方側もしくは後方側の引っ掛け溝１７，１８に設けられているロック部材２０は、自重に抗して押し上げられ、一方向に回動することにより支持ボルト１２の挿入を許容する。そして、支持ボルト１２が引っ掛け溝１８（または１７）の最奥位置まで挿入されると、ロック部材２０は、支持ボルト１２から離れて自重により逆方向に回動し、元のストッパー２２が引っ掛け溝１８（または１７）の下縁に当接する位置まで戻る。このため、図４（Ｃ）に図示される如く、ロック部材２０が引っ掛け溝１８（または１７）からの支持ボルト１２の離脱を阻止するように作用する。
【００３４】
これにより、支持ボルト１２をいったん引っ掛け溝１７，１８の最奥位置まで挿入した後は、支持ボルト１２が引っ掛け溝１７，１８から離脱する心配はなく、この状態で支持ボルト１２を締め付け固定することによって、空調ユニット１を天井面に懸架することができ、その作業中に支持ボルト１２が引っ掛け溝１７，１８から離脱し、空調ユニット１が落下する事故を確実に解消することができる。
【００３５】
斯くして、本実施形態によると、吊り金具の前後一対の引っ掛け溝１７，１８のいずれかに、一片のロック部材２０を回動自在に設けただけの簡単な構成により、空調ユニット１の据え付け作業中に、支持ボルトが引っ掛け溝１７，１８から離脱して空調ユニット１が落下する虞を確実に解消し、作業の安全性を確保することができる。
また、引っ掛け溝１７，１８に対して極端な傾斜や必要以上に高い段部を設ける必要がなく、従って、据え付け後に空調ユニットと天井面との間に大きな隙間が生じ、見栄えが低下することもない。
【００３６】
更に、ロック部材２０が、垂直面１６に回動自在に軸支され、支持ボルト１２と接して一方向に回動されることにより、支持ボルト１２の引っ掛け溝１８（または１７）への挿入を許容し、支持ボルト１２が所定位置まで挿入されると、逆方向に回動され、ストッパー２２で定位置に位置決めされることにより、支持ボルト１２の引っ掛け溝１８（または１７）からの離脱を阻止する構成とされているため、引っ掛け溝１８（または１７）にロック部材２０を設けたとしても、従来の据え付け作業と同様に支持ボルト１２を引っ掛け溝１８（または１７）に挿入するだけで、ロック部材２０を支持ボルト１２の引っ掛け溝１８（または１７）への挿入を許容する位置および引っ掛け溝１８（または１７）からの離脱を阻止する位置に動かすことができる。従って、動力源無しでロック部材２０を確実に機能させることができ、据え付け方法を変更することなく、その作業の安全性を高めることができる。
【００３７】
また、本実施形態によると、ロック部材２０が、自重によって、支持ボルト１２の引っ掛け溝１８（または１７）への挿入を許容する位置から、その離脱を阻止する位置に回動（移動）可能とされているため、ロック部材２０を垂直面１６に回動自在に設置するだけでよく、そのロック部材２０を支持ボルト１２の引っ掛け溝１８（または１７）への挿入を許容する位置から離脱を阻止する位置へと自重（重力）で回動（移動）させることができる。従って、最少の部品で支持ボルト１２の離脱を阻止可能なロック機構を構成でき、簡素で低コストで、かつ安全性の高いロック機構を備えた吊り金具１１を提供することができる。
【００３８】
［第２実施形態］
次に、本発明の第２実施形態について、図５および図６を用いて説明する。
本実施形態は、上記した第１実施形態に対して、ロック部材３０の構成が異なる。その他の点については、第１実施形態と同様であるので説明は省略する。
本実施形態において、ロック部材３０は、略矩形状の板金製の板部材とされ、その上方側の一角部が、垂直面１６の引っ掛け溝１８の入口近くの上縁付近に軸３１を介して回転自在に軸支された構成とされている。また、軸支される上方側の他の一角部に、外方に突出した突部３２が設けられた構成とされている。
【００３９】
つまり、本実施形態のロック部材３０は、自重により軸３１を支点として下方に垂れ下っており、支持ボルト１２が引っ掛け溝１８内に挿入される過程で、その前方縁が支持ボルト１２に接し、ロック部材３０が自重に抗して上方に回動（図示左回転）されることによって、支持ボルト１２の挿入を許容（図６（Ａ）→（Ｂ）参照）する。そして、支持ボルト１２が引っ掛け溝１８の所定位置（最奥位置）まで挿入されると、支持ボルト１２から離れて自重で逆方向に回動（右回転）し、元の位置に戻る。また、この状態で支持ボルト１２が溝から離脱方向に移動しようとすると、図６（Ｃ）に示されるように、支持ボルト１２を引っ掛け溝１８の下縁と突部３２との間で挟み込み、ロック部材３０の逆方向への回動を阻止することにより、支持ボルト１２の引っ掛け溝１８からの離脱を阻止する構成とされている。
【００４０】
斯くして、本実施形態においても、吊り金具１１に対して、軸３１により回動自在に軸支され、支持ボルト１２と接して一方向に回動されることにより、支持ボルト１２の引っ掛け溝１８への挿入を許容し、支持ボルト１２が所定位置まで挿入されると、逆方向に回動され、支持ボルト１２が引っ掛け溝１８から離脱方向に移動しようとすると、該溝１８の下縁との間で支持ボルト１２を挟み込むことにより、逆方向への回動を阻止し、支持ボルト１２の引っ掛け溝１８からの離脱を阻止する突部３２を有するロック部材３０を備えた構成とされているため、ロック部材３０を動力無しで確実に動作させることができ、上記した第１実施形態と同様の効果を得ることができる。
【００４１】
［第３実施形態］
次に、本発明の第３実施形態について、図７および図８を用いて説明する。
本実施形態は、上記した第１実施形態に対して、ロック部材４０の構成が異なる。その他の点については、第１実施形態と同様であるので説明は省略する。
本実施形態において、ロック部材４０は、下辺が傾斜辺４１とされた略矩形状の板金製の板部材とされ、そのロック部材４０が、垂直面１６の引っ掛け溝１８の入口近くの上縁付近に設けられた上下２本のピン４２を介して上下方向に昇降自在に支持された構成とされている。また、傾斜辺４１の下方端が、斜め下方への延長部４３とされたものである。
【００４２】
つまり、このロック部材４０は、通常、自重により上下２本のピン４２をガイドとして下方に降下しており、支持ボルト１２が引っ掛け溝１８内に挿入される過程で、その傾斜辺４１が支持ボルト１２に接し、ロック部材４０が自重に抗してピン４２をガイドに上昇することによって、支持ボルト１２の挿入を許容（図８（Ａ）→（Ｂ）参照）する。そして、支持ボルト１２が引っ掛け溝１８の所定位置（最奥位置）まで挿入されると、支持ボルト１２から離れて自重で下方に降下し、元の位置に戻ることにより、図８（Ｃ）に示されるように、支持ボルト１２の引っ掛け溝１８からの離脱を阻止する構成とされている。
【００４３】
なお、ロック部材４０の傾斜辺４１から延長されている延長部４３は、支持ボルト１２が離脱方向に移動しようとした場合、支持ボルト１２により下向きの力を受けるようになっているため、ロック部材４０が予期せぬ動きで上昇し、ロック機能が損なわれる事態を阻止することができる。
【００４４】
斯くして、本実施形態においても、吊り金具１１に対し、複数本のピン４２により昇降自在に支持され、支持ボルト１２と接して上昇されることにより、支持ボルト１２の引っ掛け溝１８への挿入を許容し、支持ボルト１２が所定位置まで挿入されると、下方位置に降下し、支持ボルト１２の引っ掛け溝１８からの離脱を阻止するロック部材４０を備えた構成とされているため、ロック部材４０を動力無しで確実に機能させることができ、上記した第１実施形態と同様の効果を得ることができる。
【００４５】
［第４実施形態］
次に、本発明の第４実施形態について、図９および図１０を用いて説明する。
本実施形態は、上記した第１実施形態に対して、ロック部材５０の構成が異なる。その他の点については、第１実施形態と同様であるので説明は省略する。
本実施形態において、ロック部材５０は、先端が滑らかな湾曲面とされているフック部５１を備えた鈎型の板金製の板部材とされ、そのロック部材５０が、垂直面１６の引っ掛け溝１８の延長方向上に設けられている軸５２を介して回動自在に軸支された構成とされている。なお、フック部５１の先端には、ロック部材５０の自重による下方への回動位置を規制するストッパー５３が設けられている。
【００４６】
つまり、本実施形態のロック部材５０は、通常、自重により先端のフック部５１が引っ掛け溝１８の入口を塞ぐ位置に回動されており、支持ボルト１２が引っ掛け溝１８内に挿入される過程で、フック部５１の先端の湾曲面に接し、ロック部材５０が自重に抗して軸５２を中心に上方に回動（図示右回転）されることにより、支持ボルト１２の挿入を許容（図１０（Ａ）→（Ｂ）参照）する。そして、支持ボルト１２が引っ掛け溝１８の所定位置（最奥位置）まで挿入されると、支持ボルト１２から離れて自重で逆方向に回動（左回転）され、フック部５１が支持ボルト１２に係止されることにより、図１０（Ｃ）に示されるように、支持ボルト１２の引っ掛け溝１８からの離脱を阻止する構成とされている。
【００４７】
斯くして、本実施形態においても、吊り金具１１に対して、軸５２により回動自在に軸支され、支持ボルト１２と接して一方向に回動されることにより、支持ボルト１２の引っ掛け溝１８への挿入を許容し、支持ボルト１２が所定位置まで挿入されると、逆方向に回動されて支持ボルト１２と係止し、支持ボルト１２の引っ掛け溝１８からの離脱を阻止するフック部５１を有するロック部材５０を設けた構成とされているため、ロック部材５０を動力無しで確実に動作させることができ、上記した第１実施形態と同様の効果を得ることができる。
【００４８】
［第５実施形態］
次に、本発明の第５実施形態について、図１１を用いて説明する。
本実施形態は、上記した第１実施形態に対して、ロック部材６０の構成が異なる。その他の点については、第１実施形態と同様であるので説明は省略する。
本実施形態において、ロック部材６０は、略二等辺三角形状とされた板金製の板部材とされ、その底辺側の中央部が、垂直面１６の引っ掛け溝１８の入口近くの上縁付近に軸６１を介して回転自在に軸支された構成とされている。また、ロック部材６０は、常にバネ６２により時計回り方向（右回転方向）に付勢され、ストッパー６３に当接して引っ掛け溝１８の入口を閉じる位置、すなわち支持ボルト１２の引っ掛け溝１８からの離脱を阻止する位置に位置決めされる構成とされている。
【００４９】
斯くして、本実施形態によると、ロック部材６０は、支持ボルト１２を引っ掛け溝１８に挿入する際、バネ６２のバネ力に抗して上方に回動（左回転）され、支持ボルト１２の引っ掛け溝１８への挿入を許容し、支持ボルト１２が所定位置（最奥位置）まで挿入されると、バネ６２のバネ力によって、支持ボルト１２の引っ掛け溝１８への挿入を許容する位置から、その離脱を阻止する位置へと強制的に回動（右回転）される。
【００５０】
このように、ロック部材６０を、支持ボルト１２の引っ掛け溝１８への挿入を許容する位置から離脱を阻止する位置へとバネ力により強制的に移動させることによって、ロック部材６０の支持ボルト１２の挿入を許容する位置から離脱を阻止する位置への移動と、その切換えを速やかに、かつ確実に行わせることができ、より信頼性の高いロック機構を備えた吊り金具１１を提供することができる。
【００５１】
なお、本発明は、上記実施形態にかかる発明に限定されるものではなく、その要旨を逸脱しない範囲において、適宜変形が可能である。例えば、上記各実施形態では、水平方向の引っ掛け溝１７，１８に対して、奥側に向って下向きの微小な傾斜や段部１９を設けることにより、支持ボルト１２を挿入し易くするとともに、より安全性を高めるようにしているが、このような傾斜や段部１９を省き、水平な引っ掛け溝１７，１８としてもよいことはもちろんである。
【００５２】
また、第２実施形態ないし第５実施形態では、少なくとも後方側の引っ掛け溝１８の入口部の近くにロック部材３０，４０，５０，６０を設けた例について説明したが、第１実施形態と同様、前方側の引っ掛け溝１７に、ロック部材を設けた構成としてもよく、この場合、後方側の引っ掛け溝１８のロック部材２０は省略してもよい。さらに、第１実施形態ないし第４実施形態では、ロック部材６０を自重（重力）により支持ボルト１２の挿入を許容する位置から離脱を阻止する位置へと動作させる例について説明したが、これらの実施形態においても、第５実施形態のように、バネを付設することにより、その力を利用してロック部材を回動あるいは移動させる構成としてもよい。
【符号の説明】
【００５３】
１  天吊り形空調ユニット（空調ユニット）
２  ユニット本体
４  吊りボルト
１１  吊り金具
１２  支持ボルト
１３  上面
１４  ボルト挿入溝
１６  垂直面
１７，１８  引っ掛け溝
２０，３０，４０，５０，６０  ロック部材
２１，３１，５２，６１  軸
２２，６３  ストッパー
３２  突部
４２  ピン
５１  フック部
６２  バネ
【図１】
2014142082.tif 000003
【図２】
2014142082.tif 000004
【図３】
2014142082.tif 000005
【図４】
2014142082.tif 000006
【図５】
2014142082.tif 000007
【図６】
2014142082.tif 000008
【図７】
2014142082.tif 000009
【図８】
2014142082.tif 000010
【図９】
2014142082.tif 000011
【図１０】
2014142082.tif 000012
【図１１】
2014142082.tif 000013